(57)【要約】【課題】壁側又は天井側における取付条件など、必要に応じて選択的に縦付けし又は横付けして兼用することができる上吊り引戸用スライドレールを提供する。【解決手段】アウターレール１０のアウターガイド部１０ｄとインナーレール１１のインナーガイド部１１ｂは、走行ボールａを挟んで向き合う各々のボールガイド面１５・２０を、それぞれ走行ボールの略半周面を当てがえる断面略半円形状に曲げ成形する。リテーナ１２は、樹脂材料で一体成形して幅方向左右に対向して延びる弾性保持片１２ｂに、アウターガイド部とインナーガイド部とで略全周が抱き込み状態にある走行ボールを転動自在に嵌着する第１のボール保持穴２４と、走行ボールとの間でインナーガイド部を挟持してインナーレール１１の動きを規制する押えボールｂを転動自在に嵌着する第２のボール保持穴１５とを設ける。【選択図】        図１
2004225425.tif 000002
【特許請求の範囲】
【請求項１】
両側縁に互いに向き合う内向きに湾曲したアウターガイド部を有するアウターレールと、両側縁に互いに離れる外向きに湾曲したインナーガイド部を有するインナーレールとを、両ガイド部間に配置する多数の走行ボールを個々に保持するリテーナを介して相対的に摺動可能に係合させてなり、引戸の上部側に取り付けてスライド自在に引戸を吊持する上吊り引戸用スライドレールにおいて、
前記アウターガイド部および前記インナーガイド部は、前記走行ボールを挟んで向き合う各々のボールガイド面を、それぞれ走行ボールの略半周面を当てがえる断面略半円形状に曲げ成形する一方、
前記リテーナは、樹脂材料で一体成形して幅方向左右に対向する弾性保持片を長さ方向に間隔をあけて設け、それら弾性保持片に、前記アウターガイド部と前記インナーガイド部とで略全周が抱き込み状態にある前記走行ボールを転動自在に嵌着する第１のボール保持穴と、走行ボールとの間でインナーガイド部を挟持して前記インナーレールの動きを規制する押えボールを転動自在に嵌着する第２のボール保持穴と、を設けてなることを特徴とする、上吊り引戸用スライドレール。
【請求項２】
前記第１のボール保持穴は、前記弾性保持片の先端縁を一部開放してボール脱着口をあけた切欠き穴形状に形成すると共に、穴内周を前記走行ボールの脱落を規制する曲率半径の球面で形成する一方、前記第２のボール保持穴は、第１のボール保持穴の上側に貫通穴形状に穿設すると共に、穴内周を前記押えボールの脱落を規制する曲率半径の球面で形成してなることを特徴とする、請求項１に記載の上吊り引戸用スライドレール。
【発明の詳細な説明】
【０００１】
【発明の属する技術分野】本発明は、アウターレールとインナーレールとを、多数の走行ボールを個々に転動自在に保持するリテーナを介して相対的に摺動可能に係合させて組み立てたもので、引戸の上部側に取り付けてスライド自在に引戸を吊持するのに好適な上吊り引戸用スライドレールに関する。
【０００２】
【従来の技術】各種の引戸の中でも、上吊り引戸は、扉開口部の下側に、敷居やレールなど、引戸を案内するガイド部材を設置する必要がないために、床面に段差が発生せず、昨今のバリアフリーの要請に十分応え得る引戸として、需要が高まっている。そこで、従来、上吊り引戸をスライド自在に吊設する場合に、たとえば図１１に示すような縦付け専用のスライドレールＡを用いたものと、図１２に示すような横付け専用のスライドレールＢを用いたものがある。
【０００３】
これら従来のスライドレールＡ・Ｂは、いずれも基本的には、両側縁に互いに向き合う内向きに断面円弧状に湾曲したアウターガイド部１ａを有するアウターレール１と、両側縁に互いに離れる外向きに断面円弧状に湾曲したインナーガイド部２ａを有するインナーレール２とを、両ガイド部１ａ・２ａ間に配置する多数の走行ボール３…を個々に転動自在に保持するリテーナ４を介して相対的に摺動可能に係合させた構造になっている。
【０００４】
そして、従来のスライドレールＡは、図１１に示すように、扉開口部上方の壁５に沿って縦向きに立てて配置し、アウターレール１を壁５側に固定する一方、インナーレール２を引戸の上部に固定してスライド自在に引戸を吊持している。一方、スライドレールＢの場合は、図１２に示すように、扉開口部上方の天井６に沿って横向きに寝かせて配置し、アウターレール１を天井６側に固定する一方、同様にインナーレール２を引戸の上部に固定してスライド自在に引戸を吊持している。
【０００５】
【発明が解決しようとする課題】ところが、従来、縦付け専用のスライドレールＡは、扉開口部の上方で壁５側に、例えば縦付けするに十分な取付スぺースを高さ方向に確保できないときは、取付条件を満たさないために、それが障害になって使用することができないという課題があった。一方、横付け専用のスライドレールＢは、扉開口部の上方で天井６側に、天井６を補強して十分な取付強度を確保できないときは、取付条件を満たさないために、それが障害になって同様に使用することができないという課題があった。
【０００６】
そこで、従来、縦付けの取付条件を満たさない場合は、仮に、縦付け専用スライドレールＡを横向きに配置して使用し、天井６側に補強を施してアウターレール１を固定しインナーレール２を引戸に取り付けることも考えられるが、これでは、図中矢示する下向きの荷重をアウターガイド部１ａとインナーガイド部２ａとで横方向から挟んで支えるだけの支持構造になるため、両ガイド部１ａ・２ａが大きな荷重に耐えられず押し拡げられ、走行ボール３の回転が重くなって引戸をスムーズにスライドさせることができないという課題があった。
【０００７】
反対に、横付けの取付条件を満たさない場合は、仮に、横付け専用スライドレールＢを縦向きに配置し、壁５側に取付スペースを確保してアウターレール１を固定しインナーレール２を引戸に取り付けることも考えられるが、この場合も同様に、矢示する下向きの荷重をアウターガイド部１ａとインナーガイド部２ａとで横方向から挟んで支えるだけの支持構造になるため、両ガイド部１ａ・２ａが大きな荷重に耐えられず押し拡げられ、やはり走行ボール３の回転が重くなって引戸をスムーズにスライドさせることができないという課題があった。
【０００８】
そこで、本発明の目的は、壁側又は天井側における取付条件など、必要に応じて選択的に縦付けし又は横付けして兼用することができる上吊り引戸用スライドレールを提供することにある。
【０００９】
【課題を解決するための手段】したがって、請求項１に記載の発明は、たとえば以下に示す図示実施の形態のとおり、両側縁に互いに向き合う内向きに湾曲したアウターガイド部１０ｄを有するアウターレール１０と、両側縁に互いに離れる外向きに湾曲したインナーガイド部１１ｂを有するインナーレール１１とを、両ガイド部１０ｄ・１１ｂ間に配置する多数の走行ボールを個々に保持するリテーナ１２を介して相対的に摺動可能に係合させてなり、引戸Ｄの上部側に取り付けてスライド自在に引戸を吊持する上吊り引戸用スライドレールＲにおいて、前記アウターガイド部１０ｄおよび前記インナーガイド部１１ｂは、前記走行ボールａを挟んで向き合う各々のボールガイド面１５・２０を、それぞれ走行ボールａの略半周面を当てがえる断面略半円形状に曲げ成形する一方、前記リテーナ１２は、樹脂材料で一体成形して幅方向左右に対向する弾性保持片１２ｂ…を長さ方向に間隔をあけて設け、それら弾性保持片１２ｂ…に、前記アウターガイド部１０ｄと前記インナーガイド部１１ｂとで略全周が抱き込み状態にある前記走行ボールａを転動自在に嵌着する第１のボール保持穴２４と、走行ボールａとの間でインナーガイド部１１ｂを挟持して前記インナーレール１１の動きを規制する押えボールｂを転動自在に嵌着する第２のボール保持穴１５とを設けてなることを特徴とする。
【００１０】
請求項２に記載の発明は、請求項１に記載の上吊り引戸用スライドレールＲにおいて、たとえば以下に示す図示実施の形態のとおり、前記第１のボール保持穴２４は、前記弾性保持片１２ｂ…の先端縁を一部開放してボール脱着口２６をあけた切欠き穴形状に形成すると共に、穴内周ｍを前記走行ボールａの脱落を規制する曲率半径の球面で形成する一方、前記第２のボール保持穴２５は、第１のボール保持穴２４の上側に貫通穴形状に穿設すると共に、穴内周ｎを前記押えボールｂの脱落を規制する曲率半径の球面で形成してなることを特徴とする。
【００１１】
【発明の実施の形態】以下、図面を参照しつつ、本発明の実施の形態について説明する。
【００１２】
図１は、本発明による上吊り引戸用スライドレールを一端側から見て示す端面図である。図２は、そのスライドレールの組立斜視図、図３は、分解斜視図である。スライドレールＲは、アウターレール１０と、インナーレール１１と、多数のボールａ・ｂを保持するリテーナ１２とで構成される。ボールａ・ｂは、共に金属製球体からなり、一方のボールａがレール走行用のボール（走行ボール）で、他方のボールｂが走行ボールａより小径なレール押え用のボール（押えボール）である。
【００１３】
アウターレール１０は、長尺な金属プレートをプレスで成形し、平らな取付板部１０ａの両側部１０ｂを対向する向きにコーナーに丸味を付けて略直角に屈曲させて、コーナーに押えボールｂのガイド部１０ｃを形成する。さらに、両側部１０ｂの端縁を互いに向き合う内向きに湾曲させて、走行ボールａのアウターガイド部１０ｄを形成する。取付板部１０ａには、止めねじ用の貫通穴１３を設けている。コーナーガイド部１０ｃは、内側のボールガイド面１４が押えボールｂと略同じ曲率半径の断面円弧形状になるように屈曲させている。一方、アウターガイド部１０ｄは、走行ボールａと略同じ曲率半径で、内側のボールガイド面１５が走行ボールａの略半周面に当てがえる断面略半円形状になるように湾曲させてなる。
【００１４】
インナーレール１１は、アウターレール１０と同様、長尺な金属プレートをプレスで成形し、断面略コ形状に屈曲させた取付部１１ａの両側縁に、互いに離れる外向きに湾曲した対称なインナーガイド部１１ｂを形成する。取付部１１ａの底板部分には、止めねじ用の貫通穴１９を設けている。インナーガイド部１１ｂは、走行ボールａと略同じ曲率半径で、外側のボールガイド面２０が走行ボールａの略半周面に当てがえる断面略半円形状になるように曲げ成形している。さらに、インナーガイド部１１ｂには、その端縁のボールガイド面２０と反対側を一部潰してボール受け凹部１１ｃを長さ方向に沿って形成している。ボール受け凹部１１ｃは、ボールガイド面２０と反対側に有するボール受け面が押えボールｂと略同じ曲率半径の断面略円弧形状になるように形成する。
【００１５】
リテーナ１２は、樹脂材料により一体成形し、長尺な支持板部１２ａの幅方向左右両側に、図４でも示すように、互いに対向して対称に延びる弾性保持片１２ｂを長さ方向に等間隔に形成する。弾性保持片１２ｂ…には、図５および図６に拡大して示すように、それぞれ先端縁寄りに第１のボール保持穴２４を設けると共に、第１のボール保持穴２４の上側に第２のボール保持穴２５を設けてなる。
【００１６】
第１のボール保持穴２４は、弾性保持片１２ｂの先端縁を一部開放し、そこにボール脱着口２６を開けた切欠き穴形状に成形する一方、図７に示す如く、走行ボールａが嵌め込み状態でも脱落しないで転動自在に保持できるように、穴内周ｍを走行ボールａと略同じ曲率半径の球面で形成した穴形状に成形している。一方、第２のボール保持穴２５は、弾性保持片１２ｂの角部に穿設して押えボールｂを脱着できる小径な貫通穴形状に成形する一方、押えボールｂが嵌め込み状態でも脱落しないで転動自在に保持できるように、穴内周ｎを押えボールｂと略同じ曲率半径の球面で形成した穴形状に成形している。そこで、リテーナ１２は、図８に示すように、弾性保持片１２ｂの弾性に抗して各々押し拡げて、第１のボール保持穴２４に走行ボールａを嵌め込み、第２のボール保持穴２５に押えボールｂを嵌め込んで、ボールａ・ｂが脱落しないように弾性保持片１２ｂで転動自在に保持している。
【００１７】
斯かるリテーナ１２は、図３に示すように、アウターレール１０内に、ボールａ・ｂをそれぞれ対応するボールガイド面１４・１５に係合して転動させながら嵌入する。次いで、インナーレール１１を、ボールａ・ｂ間にインナーガイド部１１ｂを係合させてボールａ・ｂを転動させながらリテーナ１２内に嵌入し、アウターレール１０に対し相対的に摺動可能に嵌合する。そうすると、スライドレールＲは、図１に示すように、アウターガイド部１０ｄとインナーガイド部１１ｂとが、ボールガイド面１５・２０間で走行ボールａの略全周を抱き込んだ状態にして組み立てられる。また、アウターレール１０のボールガイド面１４と、インナーレール１１のボール受け凹部１１ｃ間に、押えボールｂを嵌め込み状態にして組み立てられる。そして、押えボールｂと走行ボールａとでインナーガイド部１１ｂを挟持してインナーレール１１の動きを規制している。なお、アウターレール１０の両端縁には、ストッパ片（図示省略）を固着して抜け止めしている。
【００１８】
そこで、上述した構成のスライドレールＲを用い、たとえば図９に示すように、引戸Ｄを天井側に取り付ける場合は、スライドレールＲを横向きに寝かせて配置し、インナーレール１１の取付部１１ａを引戸Ｄの上框面３０に固定し、アウターレール１０の取付板部１０ａを天井側の支持体３５に固定してスライドレールＲを横付けする。これによって、引戸Ｄを天井側にスライドレールＲを介してスライド自在に吊設する。
【００１９】
さて、こうしてスライドレールＲを横付けして引戸Ｄを吊設した場合に、引戸Ｄをスライドして開閉するとき、スライドレールＲは、図１中矢印Ｘ方向に下向きの荷重が加わるが、これに対して、アウターガイド部１０ｄとインナーガイド部１１ｂとで略全周方向から走行ボールａを抱きかかえ状態で支持して下向きの荷重を受け止めるため、走行ボールａの転動を妨げることなく、インナーレール１１を固定のアウターレール１０に対しスムーズに摺動させることができる。
【００２０】
しかも、このときスライドレールＲは、押えボールｂと走行ボールａとでインナーガイド部１１ｂを挟持してインナーレール１１の動きを規制するため、インナーレール１１を、アウターレール１０内でガタつかせず、走行ボールａを介してインナーガイド部１１ｂとアウターガイド部１０ｄを常にズレなく係合させて、スムーズに摺動させることができる。
【００２１】
次に、上述の如くスライドレールＲを横付けして引戸Ｄを吊設する場合、仮に、十分な取付強度を天井側に確保できない事情があるときは、スライドレールＲは、図１０に示すように、扉開口部Ｓ上方の壁Ｗに縦付けして引戸Ｄを吊設することができる。
【００２２】
スライドレールＲを縦付けする場合は、スライドレールＲを立てて配置し、インナーレール１１の取付部１１ａを引戸Ｄの板面上側に固定し、アウターレール１０の取付板部１０ａを壁Ｗに固定する。これにより、縦付けのスライドレールＲを介して引戸Ｄを壁Ｗ側にスライド自在に吊設する。
【００２３】
こうしてスライドレールＲを縦付けして引戸Ｄを吊設した場合、引戸Ｄをスライドして開閉するときは、スライドレールＲは、図１中矢印Ｙ又はＺ方向に下向きの荷重が加わるが、これに対し、横付けの場合と同様にアウターガイド部１０ｄとインナーガイド部１１ｂとが略全周方向から走行ボールａを抱きかかえ状態で支持して下向きの荷重を受け止めるため、走行ボールａの転動を妨げることなく、インナーレール１１を固定のアウターレール１０に対しスムーズに摺動させることができる。
【００２４】
しかも、このときスライドレールＲは、横付けの場合と同様、押えボールｂと走行ボールａとでインナーガイド部１１ｂを挟持してインナーレール１１の動きを規制するため、インナーレール１１を、アウターレール１０内でガタつかせず、走行ボールａを介してインナーガイド部１１ｂとアウターガイド部１０ｄを常にズレなく係合させて、スムーズに摺動させることができる。
【００２５】
さらに今度は、このようにスライドレールＲを縦付けして引戸Ｄを吊設する場合、仮に、壁Ｗ側に十分な取付スぺースを高さ方向に確保できない事情があるときは、同じスライドレールＲを、上述のように天井側に横付けして引戸Ｄを吊設すればよい。こうして壁Ｗ又は天井側における取付条件に応じて、同じスライドレールＲを選択的に縦付けし又は横付けして兼用することができる。
【００２６】
なお、図示実施形態のスライドレールＲは、リテーナ１２が支持板部１２ａを介して左右の弾性保持片１２ｂを一体に成形したものであったが、本発明では、リテーナを左右２体に分割して別個独立に形成してもよい。
【００２７】
【発明の効果】上述の如く構成した本発明によれば、次のような効果が得られる。
【００２８】
請求項１に記載の発明の上吊り引戸用スライドレールによれば、これを横付け又は縦付けして引戸を吊持する、いずれの場合も、引戸をスライドして開閉するときに、下向きの荷重が加わっても、これに対して、アウターガイド部とインナーガイド部とが略全周方向から走行ボールを抱きかかえ状態で支持して下向きの荷重を受け止める構成であるため、走行ボールの転動を妨げることなく、スライドレールをスムーズに摺動させることができる。しかも、スライドレールは、押えボールと走行ボールとでインナーガイド部を挟持してインナーレールの動きを規制する構成であるため、インナーレールをアウターレール内でガタつかせることなく、走行ボールを介してインナーガイド部とアウターガイド部を常にズレなく係合させて、スムーズに摺動させることができる。その結果、壁側又は天井側における取付条件など応じて、従来の如くわざわざ縦付け又は横付け専用のスライドレールを調達して使用する必要がなく、同じスライドレールを選択的に縦付けし又は横付けして兼用することができる。
【００２９】
加えて、請求項１に記載の発明の上吊り引戸用スライドレールによれば、リテーナは、樹脂材料で一体成形して幅方向左右に対向する弾性保持片を長さ方向に間隔をあけて設け、それら弾性保持片の第１のボール保持穴に走行ボールを、第２のボール保持穴に押えボールを嵌着した構成にすることにより、アウターガイド部とインナーガイド部間で略全周が抱き込み状態にある多数の走行ボールと、走行ボールとの間でインナーガイド部を挟持してインナーレールの動きを規制する状態にある多数の押えボールであっても、それぞれリテ−ナで個別に転動自在に保持することを実現させることができる。
【００３０】
請求項２に記載の発明の上吊り引戸用スライドレールによれば、加えて、リテ−ナの第１のボール保持穴を、弾性保持片の先端縁を一部開放してボール脱着口をあけた切欠き穴形状に形成すると共に、穴内周を走行ボールの脱落を規制する曲率半径の球面で形成する一方、第２のボール保持穴を、第１のボール保持穴の上側に貫通穴形状に穿設すると共に、穴内周を押えボールの脱落を規制する曲率半径の球面で形成し、これにより、アウターガイド部とインナーガイド部間で略全周が抱き込み状態にある多数の走行ボールと、走行ボールとの間でインナーガイド部を挟持してインナーレールの動きを規制する状態にある多数の押えボールであっても、それらボールを、より一層適確に、転動自在に保持することができる。
【図面の簡単な説明】
【図１】本発明の上吊り引戸用スライドレールを一端側から見て示す端面図である。
【図２】スライドレールの組立斜視図である。
【図３】スライドレールの分解斜視図である。
【図４】リテーナをボール非保持状態において示す斜視図である。
【図５】リテーナを、その端部を拡大して示す斜視図である。
【図６】リテーナを、その端部を斜めから見て拡大して示す部分斜視図である。
【図７】（Ａ）はリテーナ端部の平面図、（Ｂ）はリテーナ端部の線Ｂ−Ｂ断面図である。
【図８】リテーナをボール保持状態で示す斜視図である。
【図９】横付けのスライドレールで引戸を吊設した状態において示す斜視図である。
【図１０】縦付けのスライドレールで引戸を吊設した状態において示す斜視図である。
【図１１】従来の縦付け専用のスライドレールを示す縦断面図である。
【図１２】従来の横付け専用のスライドレールを示す縦断面図である。
【符号の説明】
１０            アウターレール
１０ｄ          アウターガイド部
１１            インナーレール
１１ｂ          インナーガイド部
１２            リテ−ナ
１２ｂ          弾性保持片
１５・２０      ボールガイド面
２４            第１のボール保持穴
２５            第２のボール保持穴
２６            ボール脱着口
Ｄ              引戸
Ｒ              スライドレール
ａ              走行ボール
ｂ              押えボール
ｍ・ｎ          穴内周
【図１】
2004225425.tif 000003
【図２】
2004225425.tif 000004
【図３】
2004225425.tif 000005
【図４】
2004225425.tif 000006
【図５】
2004225425.tif 000007
【図６】
2004225425.tif 000008
【図７】
2004225425.tif 000009
【図８】
2004225425.tif 000010
【図９】
2004225425.tif 000011
【図１０】
2004225425.tif 000012
【図１１】
2004225425.tif 000013
【図１２】
2004225425.tif 000014